(57)【要約】【課題】  組み立てに手数を要さず、迅速に組み立てることができ、しかも外箱に収容しない状態で菓子等の物品を載置しても形態を保持することができる仕切り体を提供する。【解決手段】  底板の両側に側板が立設され、前記両側板間に仕切り板が架設されるとともに、外箱に収容して使用される仕切り体であって、前記仕切り板３１、３２、３３、３４は底板３１、３２、３３、３４に対して所定の立上げ角度を成す折目線を介して各側板２３、２４に連設されており、前記一方の折目線を谷折りとし、他方の折目線を山折りとすることで、前記仕切り板３１、３２、３３、３４が前記底板３１、３２、３３、３４に対して所定の立上げ角度を成して両側板２３，２４間に架設されるようにする。【選択図】図５
0003129310.tif 000002
【実用新案登録請求の範囲】
【請求項１】
底板の両側に側板が立設され、前記両側板間に仕切り板が架設されるとともに、外箱に収容して使用される仕切り体であって、
前記仕切り板は底板に対して所定の立上げ角度を成す折目線を介して各側板に連設されており、前記一方の折目線を谷折りとし、他方の折目線を山折りとすることで、前記仕切り板が前記底板に対して所定の立上げ角度を成して両側板間に架設されることを特徴とする仕切り体。
【請求項２】
仕切り板の一方の縁部に山折目線を介して第１側板が連設され、前記第１側板に折目線を介して第１底板が連設されており、
前記仕切り板の他方の縁部には谷折目線を介して、内側板と外側板とからなる第２側板が連設され、前記第２側板には折目線を介して第２底板が連設されており、
前記各折目線を折曲させて、前記第１底板と前記第２底板とを相互に対向させるとともに、連結手段により前記第１底板と前記第２底板とを連結させて組み立てられることを特徴とする請求項１に記載の仕切り体。
【請求項３】
第１底板に第１側板折目線を介して第１側板の下縁部が連設され、前記第１側板の上縁部には、前記第１側板折目線に対して所定の立上げ角度を成す山折目線を介して仕切り板の一方の縁部が連設されており、
第２底板に第２側板折目線を介して第２側板の外側板の下縁部が連設され、前記外側板に第３側板折目線を介して第２側板の内側板の上縁部が連設され、前記内側板の下縁部には、前記第２側板折目線に対して所定の立上げ角度を成す谷折目線を介して前記仕切り板の他方の縁部が連設されており、
前記各折目線を折曲させ、前記第１底板と前記第２底板とを連結させて組み立てられることを特徴とする請求項１または２のいずれか１項に記載の仕切り体。
【請求項４】
第１底板と第２底板のいずれか一方に差込用舌片が形成され、他方に差込用切目線が形成されており、前記差込用舌片が、前記差込用切目線に対して、仕切り板の山折目線と谷折目線の復元する方向に向けて差し込まれることにより、第１底板と第２底板とが連結されることを特徴とする請求項２または３のいずれか１項に記載の仕切り体。
【請求項５】
仕切り板を複数設け、前記各仕切り板の形状及び／又は形成高さを相互に変えることにより、仕切り板の上縁部の高さを変化させたことを特徴とする請求項１から４のいずれか１項に記載の仕切り体。
【請求項６】
仕切り板を複数設け、仕切り板の上縁部の高さを前方から後方に向けて漸次高くしたことを特徴とする請求項１から５のいずれか１項に記載の仕切り体。
【請求項７】
仕切り板を複数設け、仕切り板の上縁部の高さを後方から前方に向けて漸次高くしたことを特徴とする請求項１から５のいずれか１項に記載の仕切り体。
【請求項８】
仕切り板の上縁部の形状を、載置する物品の形状に適合させたことを特徴とする請求項１から７のいずれか１項に記載の仕切り体。
【請求項９】
仕切り板の上縁部に、載置する物品の形状に適合させた物品受け部を形成したことを特徴とする請求項１から８のいずれか１項に記載の仕切り体。
【考案の詳細な説明】
【技術分野】
【０００１】
本考案は、仕切り体に関し、より詳細には、化粧箱等の外箱に収容されて使用される仕切り体に関する。
【背景技術】
【０００２】
従来、菓子店等において、商品である菓子等の物品を化粧箱等の外箱内に見栄え良く整列させるために、紙板等の素材で形成された仕切り体が用いられている。仕切り体は、使用前は、嵩張らないように平坦な状態として積み重ねられて保管されており、使用時には、店頭でワンタッチで迅速に組み立てられるようにしている。
【０００３】
仕切り体のうち、外箱とは別に組み立てられ、外箱に収容して使用されるタイプの仕切り体として、底板に対して複数の横仕切り板が立ち上げられており、隣接する横仕切り板間に縦仕切り板を組み合わせた構成のものが知られている（例えば、特許文献１参照。）。前記従来の仕切り体は、横仕切り板と縦仕切り板とを別個の部材で構成しており、横仕切り板に形成されたスリットに、縦仕切り板に形成されたスリットを差し込むことによって組み立てられていた。
【０００４】
ところで仕切り体は、顧客の注文を受けてから組み立てるようにすると、その間顧客を待たせてしまうことになる。このため仕切り体は、顧客の注文の前に組み立てた状態でストックしておき、顧客の注文に応じて仕切り体を外箱に収容し、すぐに菓子等を載置できるようにすることが好ましい。仕切り体を組み立てた状態でストックしておくためには、外箱に入れない状態でも仕切り体の形態が保持される必要がある。
【０００５】
また、仕切り体を組み立てて、更に菓子等も予め載置した状態にしてストックしておき、顧客の注文に応じて菓子等を載せた仕切り体を外箱に収容するようにすれば、顧客の注文から商品の手渡しまでの時間を更に短縮できるため、より好ましい。この場合、仕切り体に菓子等を載置した状態でストックしておくためには、外箱に入れない状態で菓子等を載置しても仕切り体の形態が保持されるようにする必要がある。
【特許文献１】特開２００１−５８６２９号公報
【考案の開示】
【考案が解決しようとする課題】
【０００６】
しかしながら、前記従来の仕切り体は、横仕切り板と縦仕切り板とが別個の部材であること、相互に形成したスリットの差し込みによって横仕切り板と縦仕切り板を組み合わせていることから、組み立てに手数を要し、迅速に組み立てることができないという問題があった。また、スリットの差し込みだけでは、折曲させた部分の復元力を抑えたり、載置した菓子等の重量を支えることができないため、外箱に収容されていない状態では、仕切り体の形態が崩れ易く、仕切り体を組み立てた状態でストックしておいたり、菓子等を載置した状態でストックしておくことは困難であった。
【０００７】
本考案は前記課題に鑑みてなされたものであって、組み立てに手数を要さず、迅速に組み立てることができ、しかも外箱に収容しない状態で菓子等の物品を載置しても形態を保持することができる仕切り体の提供を課題とする。
【課題を解決するための手段】
【０００８】
本考案の解決しようとする課題は以上の如くであり、次にこの課題を解決するための手段を説明する。
【０００９】
即ち、請求項１に記載の考案では、底板の両側に側板が立設され、前記両側板間に仕切り板が架設されるとともに、外箱に収容して使用される仕切り体であって、
前記仕切り板は底板に対して所定の立上げ角度を成す折目線を介して各側板に連設されており、前記一方の折目線を谷折りとし、他方の折目線を山折りとすることで、前記仕切り板が前記底板に対して所定の立上げ角度を成して両側板間に架設されることを特徴とする仕切り体とした。
【００１０】
請求項２に記載の考案では、請求項１において、仕切り板の一方の縁部に山折目線を介して第１側板が連設され、前記第１側板に折目線を介して第１底板が連設されており、
前記仕切り板の他方の縁部には谷折目線を介して、内側板と外側板とからなる第２側板が連設され、前記第２側板には折目線を介して第２底板が連設されており、
前記各折目線を折曲させて、前記第１底板と前記第２底板とを相互に対向させるとともに、連結手段により前記第１底板と前記第２底板とを連結させて組み立てられることを特徴とする仕切り体とした。
【００１１】
請求項３に記載の考案では、請求項１または２のいずれか１項に記載の考案において、第１底板に第１側板折目線を介して第１側板の下縁部が連設され、前記第１側板の上縁部には、前記第１側板折目線に対して所定の立上げ角度を成す山折目線を介して仕切り板の一方の縁部が連設されており、
第２底板に第２側板折目線を介して第２側板の外側板の下縁部が連設され、前記外側板に第３側板折目線を介して第２側板の内側板の上縁部が連設され、前記内側板の下縁部には、前記第２側板折目線に対して所定の立上げ角度を成す谷折目線を介して前記仕切り板の他方の縁部が連設されており、
前記各折目線を折曲させ、前記第１底板と前記第２底板とを連結させて組み立てられることを特徴とする仕切り体とした。
【００１２】
請求項４に記載の考案では、請求項２または３のいずれか１項に記載の考案において、第１底板と第２底板のいずれか一方に差込用舌片が形成され、他方に差込用切目線が形成されており、前記差込用舌片が、前記差込用切目線に対して、仕切り板の山折目線と谷折目線の復元する方向に向けて差し込まれることにより、第１底板と第２底板とが連結されることを特徴とする仕切り体とした。
【００１３】
請求項５に記載の考案では、請求項１から４のいずれか１項に記載の考案において、仕切り板を複数設け、前記各仕切り板の形状及び／又は形成高さを相互に変えることにより、仕切り板の上縁部の高さを変化させたことを特徴とする仕切り体とした。
【００１４】
請求項６に記載の考案では、請求項１から５のいずれか１項に記載の考案において、仕切り板を複数設け、仕切り板の上縁部の高さを前方から後方に向けて漸次高くしたことを特徴とする仕切り体とした。
【００１５】
請求項７に記載の考案では、請求項１から５のいずれか１項に記載の考案において、仕切り板を複数設け、仕切り板の上縁部の高さを後方から前方に向けて漸次高くしたことを特徴とする仕切り体とした。
【００１６】
請求項８に記載の考案では、請求項１から７のいずれか１項に記載の考案において、仕切り板の上縁部の形状を、載置する物品の形状に適合させたことを特徴とする仕切り体とした。
【００１７】
請求項９に記載の考案では、請求項１から８のいずれか１項に記載の考案において、仕切り板の上縁部に、載置する物品の形状に適合させた物品受け部を形成したことを特徴とする仕切り体とした。
【考案の効果】
【００１８】
本考案の効果として、以下に示すような効果を奏する。
【００１９】
請求項１に記載の考案によれば、仕切り板は底板に対して所定の立上げ角度を成す折目線を介して各側板に連設されており、前記一方の折目線を谷折りとし、他方の折目線を山折りとなるように折曲すれば、前記仕切り板が前記底板に対して所定の立上げ角度を成して両側板間に架設された状態となるため、組み立てに手数を要さず、迅速に組み立てることができる。また、仕切り板は両側板間に架設されるように連設されているため、側板と仕切り板とを別部材で構成した場合に比較すると強度が高く、外箱に収容しない状態でも仕切り体の形態を保持することができるとともに、外箱の外で菓子等の物品を載置しても仕切り体の形態を保持することができる。
【００２０】
請求項２に記載の考案によれば、各折目線を折曲させることにより、仕切り板は第１側板と第２側板間に架設された状態となり、第１底板と第２底板は連結手段により連結された状態となるため、組み立てに手数を要さず、迅速に組み立てることができる。また、第１側板と第２側板間とが仕切り板及び第１底板と第２底板とで連結された構造であり、強度の高い構造となるため、外箱に収容しない状態でも仕切り体の形態を保持することができるとともに、外箱の外で菓子等の物品を載置しても仕切り体の形態を保持することができる。
【００２１】
請求項３に記載の考案によれば、仕切り体を構成する各部材は折目線を介して一体化されており、第１底板と第２底板を連結することによって組み立てられるため、仕切り体は少ない部材で構成され、組み立てに手数を要さず、迅速に組み立てることができる。また、各部材が一体化されていて強度の高い構造であるため、外箱に収容しない状態でも仕切り体の形態を保持することができるとともに、外箱の外で菓子等の物品を載置しても仕切り体の形態を保持することができる。
【００２２】
請求項４に記載の考案によれば、第１底板と第２底板のいずれか一方に差込用舌片が形成され、他方に差込用切目線が形成されており、前記差込用舌片が、前記差込用切目線に対して、仕切り板の山折目線と谷折目線の復元する方向に向けて差し込まれることにより、第１底板と第２底板とが連結される。このため、第１底板と第２底板との連結が容易であるとともに確実に連結が行われ、かつ、部材の復元力による連結部分の分離が発生しにくい。
【００２３】
請求項５に記載の考案によれば、仕切り板を複数設け、前記各仕切り板の形状及び／又は形成高さを相互に変えることにより、仕切り板の上縁部の高さを変化させたため、仕切り体に載置する菓子等の物品の姿勢を変化させることができ、見栄え良く菓子等の物品を仕切り体内に整列させることができる。
【００２４】
請求項６に記載の考案によれば、仕切り板を複数設け、仕切り板の上縁部の高さを前方から後方に向けて漸次高くしたことにより、仕切り体に載置する菓子等の物品の姿勢を前方から後方に向けて漸次立ち上げることができ、見栄え良く菓子等の物品を仕切り体内に整列させることができる。
【００２５】
請求項７に記載の考案によれば、仕切り板を複数設け、仕切り板の上縁部の高さを後方から前方に向けて漸次高くしたことにより、仕切り体に載置する菓子等の物品の姿勢を後方から前方に向けて漸次立ち上げることができ、見栄え良く菓子等の物品を仕切り体内に整列させることができる。
【００２６】
請求項８に記載の考案によれば、仕切り板の上縁部の形状を、載置する菓子等の物品の形状に適合させるようにしたため、菓子等の物品を仕切り体内に安定した状態で載置することができる。また、菓子等の物品を載置する姿勢を一定に揃えることができるため、見栄え良く菓子等の物品を仕切り体内に整列させることができる。
【００２７】
請求項９に記載の考案によれば、仕切り板の上縁部に、載置する菓子等の物品の形状に適合させた物品受け部を形成したため、菓子等の物品を仕切り体内に安定した状態で載置することができる。また、菓子等の物品を載置する姿勢を一定に揃えることができるため、見栄え良く菓子等の物品を仕切り体内に整列させることができる。
【考案を実施するための最良の形態】
【００２８】
次に、考案の実施の形態について図を用いて説明する。
【実施例１】
【００２９】
本考案の実施例１に係る仕切り体１１について、図１から図６を用いて説明する。
【００３０】
実施例１に係る仕切り体１１は、図１に示す仕切り体展開形成体を組み立てて形成されるものであり、化粧箱等の外箱に収容されて使用されるものである。仕切り体１１は、板紙、段ボールなどの厚紙で形成されている。図示一点鎖線は山折目線とし、破線は谷折目線とする。図１に示す仕切り体展開形成体を組み立てて完成した状態の仕切り体１１を図５、図６に示している。本実施例に係る仕切り体１１の仕切り板は４枚形成され、図６に示すように、菓子等の物品Ａを各仕切り板３１、３２、３３、３４で支えるようにして載置する。説明のために仕切り体１１の長手方向を前後とし、短手方向を左右とし、外箱に収容した場合に正面となる側を前方とすると、図１、図５、図６では図示左側が前方となる。また、上下方向は、仕切り体１１を組み立てて、底板を下にして載置した場合に、底板側を下方とする。尚、本実施例の仕切り体１１の平面形状は長方形であるが、正方形等の他の形状に変更してもよい。
【００３１】
まず、図１に示す仕切り体展開形成体に従って説明すると、第１底板２１は、後記第２底板２２と連結されて仕切り体１１の底板を構成する部分である。第１底板２１の一方の縁部には第１側板折目線４１を介して第１側板２３が連設されている。前記第１底板２１の他方の縁部には、第２底板２２と連結させるための差込用舌片３６が図示左方に向けて形成されている。差込用舌片３６の付け根部分には、挟持用切目線３７が形成されている。
【００３２】
前記第１側板２３は、仕切り体１１の側壁を構成するとともに後記各仕切り板３１、３２、３３、３４が連設される部分である。前記第１底板２１に連設されている部分が仕切り体１１の下縁部となる。第１側板２３は後記各仕切形成用切目線５１、５２、５３と後記各仕切形成用山折目線６１、６２、６３、６４によって上方に向けて４箇所の山形の部分が形成される形状となる。
【００３３】
前記第１側板２３には、第１仕切り板３１、第２仕切り板３２、第３仕切り板３３及び第４仕切り板３４が連設されている。前記各仕切り板３１、３２、３３、３４は、それぞれ、第１仕切形成用切目線５１、第２仕切形成用切目線５２及び第３仕切形成用切目線５３によって隣接する各仕切り板３１、３２、３３、３４と分離されている。また、前記第１仕切り板３１は第１仕切形成用山折目線６１を介して前記第１側板２３に連設されており、以下同様に、前記第２仕切り板３２は第２仕切形成用山折目線６２、前記第３仕切り板３３は第３仕切形成用山折目線６３、前記第４仕切り板３４は第４仕切形成用山折目線６４を介して前記第１側板２３に連設されている。第４仕切り板３４の後縁部にはフラップ３５が連設されている。
【００３４】
また、前記各仕切り板３２、３３、３４の上縁部となる、各仕切り板３２、３３、３４の図示左側の縁部には、仕切り体１１に載置される菓子等の物品Ａを受けるための物品受け部３９が形成されている。本実施例では物品受け部３９の形状は円弧状の凹部であるが、載置される物品Ａの形状に適合させた形状とすることが好ましい。物品受け部３９の形状を、載置する菓子等の物品Ａの形状に適合させれば、菓子等の物品Ａを仕切り体１１内に安定した状態で載置することができる。また、菓子等の物品Ａを載置する姿勢を一定に揃えることができるため、見栄え良く菓子等の物品Ａを仕切り体１１内に整列させることができる。
【００３５】
一方、第２底板２２は、前記第１底板２１と連結されて仕切り体１１の底板を構成する部分である。第２底板２２の一方の縁部には第２側板折目線４２を介して第２側板２４の外側板２５が連設されている。前記第２底板２２の略中央部には、前記第１底板２１に形成された差込用舌片３６が差し込まれる差込用切目線３８が図示左方に向けて形成されている。
【００３６】
前記第２側板２４の外側板２５は、２重に形成される第２側板２４のうち、外壁を構成する部分である。第２側板２４の他方の縁部には第３側板折目線４３を介して第２側板２４の内側板２６が形成されている。
【００３７】
前記第２側板２４の内側板２６は、２重に形成される第２側板２４のうち、内壁を構成する部分であるとともに前記各仕切り板３１、３２、３３、３４が連設される部分である。内側板２６のうち、前記外側板２５に連設されている部分が仕切り体１１の上縁部となる。内側板２６は前記各仕切形成用切目線５１、５２、５３と後記各仕切形成用谷折目線７１、７２、７３、７４によって下方に向けて３箇所の山形の部分が形成される形状となる。
【００３８】
前記内側板２６には、前記第１仕切り板３１、前記第２仕切り板３２、前記第３仕切り板３３及び前記第４仕切り板３４が連設されている。前記第１仕切り板３１は第１仕切形成用谷折目線７１を介して前記内側板２６に連設されており、以下同様に、前記第２仕切り板３２は第２仕切形成用谷折目線７２、前記第３仕切り板３３は第３仕切形成用谷折目線７３、前記第４仕切り板３４は第４仕切形成用谷折目線７４を介して前記内側板２６に連設されている。
【００３９】
ここで、前記各仕切り板３１、３２、３３、３４の形状と位置関係について説明する。まず、各仕切り板３１、３２、３３、３４の左右方向の幅であるが、それぞれ第１仕切り板３１の幅は第１仕切形成用山折目線６１と第１仕切形成用谷折目線７１との間隔、第２仕切り板３２の幅は第２仕切形成用山折目線６２と第２仕切形成用谷折目線７２との間隔、第３仕切り板３３の幅は第３仕切形成用山折目線６３と第３仕切形成用谷折目線７３との間隔、第４仕切り板３４の幅は第４仕切形成用山折目線６４と第４仕切形成用谷折目線７４との間隔となる。そして、各仕切り板３１、３２、３３、３４の左右方向の幅は等しいものとしており、仕切り体１１を組み立てた状態で第１側板２３と第２側板２４とが平行に立設されるようにしている。
【００４０】
また、各仕切り板３１、３２、３３、３４の上縁部の高さ位置は、仕切り体１１を組み立てた状態では、第１仕切り板３１の上縁部の高さ位置は第１仕切形成用山折目線６１の図示左上端部と第１仕切形成用谷折目線７１の図示左上端部、第２仕切り板３２の上縁部の高さ位置は第２仕切形成用山折目線６２の図示左上縁部と第２仕切形成用谷折目線７２の図示左上端部、第３仕切り板３３の上縁部の高さ位置は第３仕切形成用山折目線６３の図示左上縁部と第３仕切形成用谷折目線７３の図示左上端部、第４仕切り板３４の上縁部の高さ位置は第４仕切形成用山折目線６４の図示左上縁部と第４仕切形成用谷折目線７４の図示左上端部である。そして、各仕切り板３１、３２、３３、３４の上縁部の高さ位置は、第１仕切り板３１から第４仕切り板３４まで、前方から後方に向けて漸次高くなるようにしている。
【００４１】
また、第１側板折目線４１と第１仕切形成用山折目線６１とが成す角度及び、第２側板折目線４２と第１仕切形成用谷折目線７１の延長線とが成す角度が第１仕切り板３１の立上げ角度となる。この角度は第１仕切り板３１の左右において略等しい角度とする。同様に、第１側板折目線４１と第２仕切形成用山折目線６２とが成す角度及び、第２側板折目線４２と第２仕切形成用谷折目線７２の延長線とが成す角度が第２仕切り板３２の立上げ角度となり、第１側板折目線４１と第３仕切形成用山折目線６３とが成す角度及び、第２側板折目線４２と第３仕切形成用谷折目線７３の延長線とが成す角度が第３仕切り板３３の立上げ角度となり、第１側板折目線４１と第４仕切形成用山折目線６４とが成す角度及び、第２側板折目線４２と第４仕切形成用谷折目線７４の延長線とが成す角度が第４仕切り板３４の立上げ角度となる。各仕切り板３１、３２、３３、３４の立上げ角度は略等しい角度であるものとする。
【００４２】
次に、上記仕切り体展開形成体によって仕切り体１１を組み立てる場合について説明する。まず、図２に示すように、第２側板２４の内側板２６に対して、第１側板２３を平行状態のまま持ち上げるようにすると、第１仕切形成用山折目線６１、第２仕切形成用山折目線６２、第３仕切形成用山折目線６３及び第４仕切形成用山折目線６４がそれぞれ山折りされ、第１仕切形成用谷折目線７１、第２仕切形成用谷折目線７２、第３仕切形成用谷折目線７３及び第４仕切形成用谷折目線７４がそれぞれ谷折りされる。各山折目線６１、６２、６３、６４と各谷折目線７１、７２、７３、７４はそれぞれ略直角になるまで折曲していき、各仕切り板３１、３２、３３、３４が第１側板２３と第２側板２４の内側板２６に対して略直角に起き上がるようにする。
【００４３】
次に図３に示すように、第２側板折目線４２を山折りして第２底板２２を第２側板２４の外側板２５に対して折曲するとともに、第３側板折目線４３を山折りして第２側板２４の外側板２５を内側板２６に対して折曲する。また、第１側板折目線４１を山折りして第１底板２１を第１側板２３に対して折曲する。
【００４４】
第１底板２１と第２底板２２の連結は、図４に示すように、第１底板２１に形成された差込用舌片３６を、第２底板２２に形成された差込用切目線３８に差し込むことにより連結する。差し込む方向は図示左方向である。上記説明したように、各仕切り板３１、３２、３３、３４を第１側板２３と第２側板２４に対して起こす際に、各仕切形成用山折目線６１、６２、６３、６４を山折りにし、各仕切形成用谷折目線７１、７２、７３、７４を谷折りにしているため、素材の復元力が作用して、第１底板２１は第２底板２２に対して左方向に戻ろうとする性質がある。差込用舌片３６を差込用切目線３８に差し込む際には、素材の復元力に対抗して第１側板２３を操作する必要があるが、一旦差し込むと復元力が差込用舌片３６を深く差し込む方向に作用するため、差込用舌片３６と差込用切目線３８の差し込みが確実に行われ、連結部分の分離は発生しにくく、第１底板２１と第２底板２２の連結状態が維持されることとなる。また、差込用舌片３６に連続して形成された挟持用切目線３７が前記差込用切目線３８の側縁部を挟持するため、より確実に第１底板２１と第２底板２２の連結状態が維持されることとなる。
【００４５】
図５に示すように、上記手順に従って組み立てられた仕切り体１１には、図６に示すように菓子等の物品Ａが載置され、この状態で化粧箱等の外箱（図示せず）に収容される。図６に示すように、各仕切り板３１、３２、３３、３４の上縁部の高さを前方から後方に向けて漸次高くしているため、仕切り体１１に載置する菓子等の物品Ａの姿勢を前方から後方に向けて漸次立ち上げることができ、見栄え良く菓子等の物品Ａを仕切り体１１内に整列させることができる。
【００４６】
以上説明した実施例１に係る仕切り体１１によれば、各仕切り板３１、３２、３３、３４は第１底板２１及び第２底板２２に対して所定の立上げ角度を成す各山折目線６１、６２、６３、６４、谷折目線７１、７２、７３、７４を介して第１側板２３及び第２側板２４に連設されており、前記各山折目線６１、６２、６３、６４を山折りとし、前記各谷折目線７１、７２、７３、７４を谷折りとなるように折曲すれば、前記各仕切り板３１、３２、３３、３４が前記第１底板２１及び第２底板２２に対して所定の立上げ角度を成して両側板間に架設された状態となるため、組み立てに手数を要さず、迅速に組み立てることができる。
【００４７】
また、第１側板２３と第２側板２４間とが各仕切り板３１、３２、３３、３４及び第１底板２１と第２底板２２とで連結された構造であり、強度の高い構造となるため、外箱に収容しない状態でも仕切り体１１の形態を保持することができるとともに、外箱の外で菓子等の物品Ａを載置しても仕切り体１１の形態を保持することができる。
【００４８】
本考案に係る仕切り体１１は上記実施例に限定されず、以下のようにすることもできる。
【００４９】
各仕切り板３１、３２、３３、３４の形状及び／又は形成高さを相互に変えるようにする。この場合、各山折目線６１、６２、６３、６４、各谷折目線７１、７２、７３、７４の形成位置を変えることなく、仕切り板３１、３２、３３、３４の上縁部の高さが変化するため、仕切り体１１に載置する菓子等の物品Ａの姿勢を変化させることができ、見栄え良く菓子等の物品Ａを仕切り体１１内に整列させることができる。また、仕切り板３１、３２、３３、３４の上縁部の高さを後方から前方に向けて漸次高くしてもよい。この場合、仕切り体１１に載置する菓子等の物品Ａの姿勢を後方から前方に向けて漸次立ち上げることができ、見栄え良く菓子等の物品Ａを仕切り体１１内に整列させることができる。
【００５０】
尚、仕切り板３１、３２、３３、３４の形状は全て同じ形状としたが、仕切り板毎に形状を変えてもよい。
【００５１】
以上説明した本考案の技術的範囲は、上記の実施例に限定されるものではなく、上記実施例の形状に限定されない。本考案の技術的範囲は、本明細書及び図面に記載した事項から明らかになる本考案が真に意図する技術的思想の範囲全体に、広く及ぶものである。
【図面の簡単な説明】
【００５２】
【図１】実施例１に係る仕切り体１１の仕切り体展開形成体の平面図。
【図２】実施例１に係る仕切り体１１の組み立て状態を示す斜視簡略図。
【図３】実施例１に係る仕切り体１１の組み立て状態を示す斜視簡略図。
【図４】組み立て状態の仕切り体１１を第１底板２１、第２底板２２側から見た側面簡略図。
【図５】実施例１に係る仕切り体１１を示す斜視簡略図。
【図６】仕切り体１１に菓子等の物品Ａを載置した状態を示す斜視簡略図。
【符号の説明】
【００５３】
１１    仕切り体
２１    第１底板
２２    第２底板
２３    第１側板
２４    第２側板
２５    外側板
２６    内側板
３１    第１仕切り板
３２    第２仕切り板
３３    第３仕切り板
３４    第４仕切り板
３５    フラップ
３６    差込用舌片
３７    挟持用切目線
３８    差込用切目線
３９    物品受け部
４１    第１側板折目線
４２    第２側板折目線
４３    第３側板折目線
５１    第１仕切形成用切目線
５２    第２仕切形成用切目線
５３    第３仕切形成用切目線
６１    第１仕切形成用山折目線
６２    第２仕切形成用山折目線
６３    第３仕切形成用山折目線
６４    第４仕切形成用山折目線
７１    第１仕切形成用谷折目線
７２    第２仕切形成用谷折目線
７３    第３仕切形成用谷折目線
７４    第４仕切形成用谷折目線
Ａ      菓子等の物品
【図１】
0003129310.tif 000003
【図２】
0003129310.tif 000004
【図３】
0003129310.tif 000005
【図４】
0003129310.tif 000006
【図５】
0003129310.tif 000007
【図６】
0003129310.tif 000008